(57)【要約】【課題】この発明は、例えば受配電設備に故障などのイベントが発生した時に見たい関連情報画面に容易に遷移させることができる受配電監視システムを提供することである。【解決手段】受配電設備に故障などのイベントが発生した時に表示される状態・故障履歴画面に画面遷移ボタン表示欄２７を設け、故障波形画面およびデマンド監視画面ならびにトレンド画面などの関連情報画面に遷移する画面遷移ボタンを表示したものであり、ユーザ（利用者）が画面遷移ボタンをクリック（選択または押下）するだけで容易に必要な画面へと画面遷移する。【選択図】図５
2014170435.tif 000002
【特許請求の範囲】
【請求項１】
監視対象の受配電システムに異常が生じた場合に表示される状態・故障履歴画面と、該状態・故障履歴画面の関連情報画面である故障波形画面およびデマンド監視画面ならびにトレンド画面を備えた受配電監視システムであって、イベント発生時に表示される画面に異常信号に対応した画面遷移ボタンを設けるとともに、該画面遷移ボタンと上記関連情報画面を結びつける画面遷移データを備えたことを特徴とする受配電監視システム。
【請求項２】
上記イベント発生時に表示される画面は上記状態・故障履歴画面であることを特徴とする請求項１に記載の受配電監視システム。
【請求項３】
上記画面遷移データは上記異常信号と上記関連情報画面とがマトリクス表に生成されていることを特徴とする請求項１または２に記載の受配電監視システム。
【請求項４】
上記関連情報画面が複数ある場合は画面を分割して該複数の関連情報画面を表示することを特徴とする請求項１から３のいずれか１項に記載の受配電監視システム。
【請求項５】
上記トレンド画面に上記故障波形画面への画面遷移ボタンを設けたことを特徴とする請求項１から４のいずれか１項に記載の受配電監視システム。
【請求項６】
監視端末として携帯端末を使用するとともに、関係先への電話発信ボタンを設けたことを特徴とする請求項１から５のいずれか１項に記載の受配電監視システム。
【発明の詳細な説明】
【技術分野】
【０００１】
この発明は、例えば受配電設備に発生した電気事故（故障）やアナログ値の上下限異常ならびに電力デマンド監視などの受配電設備の監視制御を行なう受配電監視システムに関するものである。
【背景技術】
【０００２】
従来の受配電監視システムは、例えば受配電設備に発生した電気事故（故障）を監視するシステムと使用電力量を監視する電力デマンド監視システムなどは、独立した個々のシステムとして構築されているのが一般的であり、そのようなシステムとして事故波形収集処理装置が提案されている。（例えば特許文献１）
【先行技術文献】
【特許文献】
【０００３】
【特許文献１】特開２００３−１４３７７５号公報
【発明の概要】
【発明が解決しようとする課題】
【０００４】
従来の受配電監視システムにおいては、独立した複数のシステムが存在し、かつ連携（画面遷移）が不十分であるため、以下に記載するようなさまざまな課題があった。
・受配電監視システムにおいて故障発生は部分停電あるいは全停電に繋がるため故障を１分１秒でも早く復旧させる必要があるが、「故障の原因が直ぐに分からない。」「故障波形は受配電監視システム上にあるが、その故障波形を表示するまで時間を要する。」「故障している場所、設備が分からない。」と言った問題があった。
・受配電監視システムにおけるデマンド監視は電力会社との契約電力を厳守するために監視しているが、デマンド警報（第１段、第２段、第３段）が発生し、状態・故障履歴画面へ画面が遷移しても、現状の電力デマンド値や使用電力状況および最終電力デマンド予想値は直ぐに分からない状況であった。ユーザ（利用者）は直ぐにでも電力デマンド値や使用電力状況および最終電力デマンド予想値を確認したいが、それらを確認するためには画面遷移を複数回実施する必要があった。
【０００５】
・様々な監視画面から故障などのイベント発生時に状態・故障履歴画面へ自動で切り替わる機能はあったが、状態・故障履歴画面から故障波形画面に移動するには、一旦監視画面メニュー表示に戻ってから故障波形画面を選択する必要があった。また、故障波形画面内においても見たい（確認したい）故障波形を選択する必要があった。
・状態・故障履歴画面から電力デマンド監視画面に移動するには、監視画面メニュー表示から電力デマンド監視画面を選択する必要があった。また、電力デマンド監視画面内においても見たい（確認したい）電力デマンドを選択する必要があった。
・状態・故障履歴画面からトレンド画面に移動するには、監視画面メニュー表示からトレンド画面を選択する必要があった。また、トレンド画面が表示されても見たい（確認したい）トレンドが表示されているとはかぎらず、トレンド画面を選択する必要があった。
【０００６】
・状態・故障履歴画面からシステム構成画面に移動するには、監視画面メニュー表示からシステム構成画面を選択する必要があった。また、システム構成画面内においても例えば故障した機器がシステム構成図上のどこにあるかなど、見たい（確認したい）部位を選択する必要があった。
・トレンド画面から故障波形画面に移動するには、監視画面メニュー表示から故障波形画面を選択する必要があった。また、故障波形画面内においても見たい（確認したい）故障波形を選択する必要があった。
・受配電監視システムに保存されている故障波形データの数は有限であり、状態・故障履歴画面で故障履歴は残っていても故障波形データが保存され残っていて表示可能かどうか分からなかった。
【０００７】
この発明は、以上のような課題を解決するためになされたもので、受配電設備に故障などのイベントが発生した時に見たい関連情報画面に容易に遷移させることができる受配電監視システムを得ることを目的とする。
【課題を解決するための手段】
【０００８】
この発明に係る受配電監視システムは、監視対象の受配電システムに異常が生じた場合に表示される状態・故障履歴画面と、該状態・故障履歴画面の関連情報画面である故障波形画面およびデマンド監視画面ならびにトレンド画面を備えた受配電監視システムにおいて、イベント発生時に表示される画面に異常信号に対応した画面遷移ボタンを設けるとともに、該画面遷移ボタンと上記関連情報画面を結びつける画面遷移データを備えたことを特徴とするものである。
【発明の効果】
【０００９】
この発明の受配電監視システムによれば、イベント発生時に表示される画面に異常信号に対応した画面遷移ボタンが設けられており、該画面遷移ボタンと関連情報画面を結びつける画面遷移データを備えているため、故障などのイベント発生時に見たい関連情報画面に容易に遷移させることが可能な受配電監視システムを得ることができる効果がある。
【図面の簡単な説明】
【００１０】
【図１】この発明の実施の形態１における受配電監視システムを示す概略構成図である。
【図２】この発明の実施の形態１における受配電監視システムの監視ＰＣの構成を示すブロック図である。
【図３】この発明の実施の形態１における受配電監視システムの画面構成を示す説明図である。
【図４】この発明の実施の形態１における受配電監視システムの状態・故障履歴画面を説明する説明図である。
【図５】この発明の実施の形態１における受配電監視システムの画面遷移ボタンが表示された状態・故障履歴画面を説明する説明図である。
【図６】この発明の実施の形態２における受配電監視システムの画面遷移ボタンが表示された状態・故障履歴画面を説明する説明図である。
【図７】この発明の実施の形態１における受配電監視システムの関連画面表示を説明する説明図である。
【図８】この発明の実施の形態１における受配電監視システムの電力デマンド監視画面を説明する説明図である。
【００１１】
【図９】この発明の実施の形態１における受配電監視システムのシステム構成画面を説明する説明図である。
【図１０】この発明の実施の形態１における受配電監視システムの故障波形画面を説明する説明図である。
【図１１】この発明の実施の形態１における受配電監視システムのトレンド表示画面を説明する説明図である。
【図１２】この発明の実施の形態１における受配電監視システムの画面遷移データを説明する説明図である。
【図１３】この発明の実施の形態１における受配電監視システムの画面遷移を説明する説明図である。
【図１４】この発明の実施の形態１における受配電監視システムの関係画面が個別の場合の画面遷移を説明する説明図である。
【図１５】この発明の実施の形態１における受配電監視システムの関係画面が複数の場合の画面遷移を説明する説明図である。
【図１６】この発明の実施の形態１における受配電監視システムの画面遷移ボタンの表示動作を説明するフロー図である。
【図１７】この発明の実施の形態１における受配電監視システムの画面遷移動作を説明するフロー図である。
【００１２】
【図１８】この発明の実施の形態３における受配電監視システムの監視ＰＣ内のデータ構成を説明する説明図である。
【図１９】この発明の実施の形態３における受配電監視システムの画面遷移ボタンの表示動作を説明するフロー図である。
【図２０】この発明の実施の形態３における受配電監視システムの故障表示がある場合のトレンド画面を説明する説明図である。
【図２１】この発明の実施の形態３における受配電監視システムの故障表示がない場合のトレンド画面を説明する説明図である。
【図２２】この発明の実施の形態４における受配電監視システムの画面遷移を説明する説明図である。
【図２３】この発明の実施の形態５における受配電監視システムの画面遷移を説明する説明図である。
【図２４】この発明の実施の形態６における受配電監視システムの携帯端末における画面例を説明する説明図である。
【図２５】この発明の実施の形態６における受配電監視システムの保守会社へ電話のボタンが押された場合の動作を説明するフロー図である。
【発明を実施するための形態】
【００１３】
以下、この発明の実施の形態について説明するが、各図において同一、または相当部分については同一符号を付して説明する。
実施の形態１．
図１はこの発明の実施の形態１における受配電監視システムを示す概略構成図、図２はこの発明の実施の形態１における受配電監視システムの監視ＰＣの構成を示すブロック図、図３はこの発明の実施の形態１における受配電監視システムの画面構成を示す説明図、図４はこの発明の実施の形態１における受配電監視システムの状態・故障履歴画面を説明する説明図、図５はこの発明の実施の形態１における受配電監視システムの画面遷移ボタンが表示された状態・故障履歴画面を説明する説明図、図７はこの発明の実施の形態１における受配電監視システムの関連画面表示を説明する説明図、図８はこの発明の実施の形態１における受配電監視システムの電力デマンド監視画面を説明する説明図である。
【００１４】
図９はこの発明の実施の形態１における受配電監視システムのシステム構成画面を説明する説明図、図１０はこの発明の実施の形態１における受配電監視システムの故障波形画面を説明する説明図、図１１はこの発明の実施の形態１における受配電監視システムのトレンド表示画面を説明する説明図、図１２はこの発明の実施の形態１における受配電監視システムの画面遷移データを説明する説明図、図１３はこの発明の実施の形態１における受配電監視システムの画面遷移を説明する説明図、図１４はこの発明の実施の形態１における受配電監視システムの関係画面が個別の場合の画面遷移を説明する説明図、図１５はこの発明の実施の形態１における受配電監視システムの関係画面が複数の場合の画面遷移を説明する説明図、図１６はこの発明の実施の形態１における受配電監視システムの画面遷移ボタンの表示動作を説明するフロー図、図１７はこの発明の実施の形態１における受配電監視システムの画面遷移動作を説明するフロー図である。
【００１５】
図１において、受配電設備（図示せず）の保護、制御および計測を一体化したマルチリレー１は、受配電設備の情報である計測値４、故障波形値５、故障情報６および機器の状態情報７をシリアル通信を介してＰＬＣ（プログラマブル  ロジック  コントローラ）２に送付する。ＰＬＣ２は送付された計測値４、故障波形値５、故障情報６および機器の状態情報７を定期的または必要に応じて光ファイバ通信を介して監視ＰＣ（パソコン）３へ転送する。監視ＰＣ３は計測値４の瞬時データを例えば１分毎などの定期的にロギングして各計測値毎にトレンドデータ８を生成する。また、監視ＰＣ３は計測値４から電力デマンドを計算して警報の有無を確認するとともに、設定された警報監視値を超えた場合は電力デマンド第一段警報、第二段警報、第三段警報を状態・故障履歴画面に表示し、デマンド監視データ９として保存する。さらに、監視ＰＣ３は計測値４と予め設定されているアナログ値の上下限監視値とを比較して、設定値の上限を超えていたら上限異常、設定値の下限を下回っていたら下限異常を状態・故障履歴画面に表示する。また、監視ＰＣ３は故障情報６によって故障が発生したことを認識すると、故障発生時の故障波形値５をＰＬＣ２経由マルチリレー１から取得し、内部に故障波形データ１０を蓄積する。また、監視ＰＣ３は故障情報６および状態情報７から故障の発生または復旧および状態の変化を検知して、状態・故障履歴データを生成するとともに画面に表示する。また、監視ＰＣ３はこれらのデータを必要に応じてＬＡＮおよび無線ＬＡＮを介して携帯端末１２に送付する。
【００１６】
以上説明した監視ＰＣ３の内部詳細機能について図２にもとづき説明する。マルチリレー１からの受配電設備情報をＰＬＣ２および光ファイバ通信を経由して通信部１３が受信し、ワードデータとビットデータに分類する。ワードデータはアナログ計測演算部１５でアナログ表示する為のデータに加工された後、アナログ上下限比較部１６で警報の発生有無を確認する。また、アナログ計測演算部１５で加工されたデータはデマンド演算部１７でのデマンド演算にも使用され、その演算結果からデマンド警報比較部１８でデマンド警報発生の有無を確認する。ビットデータ比較部１４は通信部１３から取得した最新情報が前回の取得値と異なっているかどうかを確認する。以上のようにして得られたデータにより、以下に説明する３分類のイベント情報が発生する。
【００１７】
まず１つはアナログ値の上下限警報である。アナログ信号１つ１つに上限および下限監視の設定値があり、その設定値をオーバーした場合に発生する。２つ目はデマンド監視警報である。ワードデータから電力デマンドを計算し、その結果が予め設定された値より大きくなった場合に警報を発報する。３つ目はビットデータ（情報）の変化である。ビット情報は故障警報と復旧などの状態変化がある。表示切替部１９ではこれらのイベント情報と後で詳述する図１２に示す関連データから、表示する画面を決定して表示部２２に表示させる。また表示切替部１９では利用者がマウスやキーボードなどの操作部２０を操作した情報を受けて表示画面の切替も実行する。なお、上記のようにして得られた各種のデータは関連データ２１に所定期間保存される。画面の種類としては図３に示すように目的に応じて各種保有しており、また、同一種類の画面でもグループ番号やページ番号により数種類に分けて保有されている。以下に代表的な画面例を説明する。
【００１８】
図４は従来の状態・故障履歴画面を示しており、イベント発生時刻２３、発生したイベント名称２４、現時点における発生または復旧の状態を示す状態情報２５および発生したイベントの種類を示すイベント情報２６が表形式で表示されている。イベント情報２６は故障の重要度などを示すもので、図４に記載のように重故障、軽故障、デマンド警報およびアナログ警報などがある。図５は本発明の状態・故障履歴画面を示しており、表形式の画面の右端に画面遷移ボタン表示欄２７が設けられている。画面遷移ボタンとしては関連情報画面が１個のみの場合はデマンド監視表示、故障波形表示およびトレンド表示など関連情報名称が表示されるが、関連情報画面が複数ある場合には「関係画面表示」と表示さ
れる。なお、関連情報画面が無い場合には図５に示すように画面遷移ボタンは表示されず、画面遷移ボタン表示欄２７はブランク（空白）の状態である。
【００１９】
図７は関連情報画面が複数ある場合の表示画面例を示しており、図５の「関係画面表示」の画面遷移ボタンをクリック（押下）した場合に表示される画面である。関連情報画面が複数ある場合には、図７に示すように画面を複数に分割（図７では４分割）して、分割された各部分に関連情報画面の縮小画面が表示される。図７ではトレンド表示画面３１、故障波形画面３２および電力系統図画面３３が縮小表示されている。また、キャンセル（Ｃ）ボタン３４
は関係画面が表示される前の画面（例えば図５の状態・故障履歴画面）に戻る。なお、図７では画面を４分割している場合を示しているが、画面は関連情報画面の数に応じて２分割あるいは９分割など適宜分割して関係画面全ての縮小表示をするのが望ましい。また、この縮小表示は画面遷移ボタンにもなっており、見たい画面をクリック（選択）すれば選択された画面が拡大されて表示される。
【００２０】
図８は電力デマンド監視画面例を示しており、図５の「デマンド監視表示」の画面遷移ボタンをクリック（押下）した場合に表示される画面である。電力デマンド値３５が時間の経過とともに上昇していることを表示しており、２０分の時点で第１段デマンド警報３６の設定値を超えて、第１段デマンド警報が発令されている状態を示している。なお、第２段デマンド警報３７および第３段デマンド警報３８の設定値はまだ超えていない状態である。図９はシステム構成画面例であり、マルチリレー１、ＰＬＣ２、監視ＰＣ３および携帯端末１２のシステム構成を示しており、システム異常が発生すると異常個所表示３９が表示されることにより、受配電システムのどの設備のどの場所で異常が発生したかが分かる画面である。
【００２１】
図１０は故障波形画面例を示しており、図５の「故障波形表示」の画面遷移ボタンをクリック（押下）した場合に表示される画面である。電気事故が発生した場合、受配電監視システムでは故障波形を取得して保持するが、ユーザ（利用者）は電気事故復旧のために故障波形画面を表示して、原因の推定・検討を行ない、原因を除去することによって電気事故を復旧させる。図１１はトレンド表示画面例を示しており、図５の「トレンド表示」の画面遷移ボタンをクリック（押下）した場合に表示される画面である。
【００２２】
図１２は監視ＰＣ３内に保有している関連データのデータ構成を示しており、信号種別および信号名称に対応する表示画面があれば○印がマトリクス表に付されており、表中の数字は表示画面のグループ番号またはページ番号の情報である。このマトリクス表に生成された関連データを使用することで、イベント発生時にユーザ（利用者）が見ることができる監視のために必要な画面を監視ＰＣ３の表示部２２に表示させることが可能となる。具体的には、例えばＮｏ．１の○○線特高変圧器二次電流の場合、図１２の関連データに○印が付されている状態・故障履歴表示（イベントロガー）と計測値リスト（アナログ）およびトレンドの画面が関係しており、状態・故障履歴画面からは計測値リスト画面およびトレンド画面に遷移可能である。また、計測値リスト（アナログ）においては（アナログ）グループ番号が１に登録されているので、画面遷移ではグループ１の画面を表示することになり、トレンドにおいてはトレンドグループ番号が１に登録されているので、画面遷移ではグループ１の画面を表示することになる。同様にＮｏ．４０の×デマンドの場合には、デマンド監視にしか○印が付いていないためデマンド監視画面にしか遷移できないこととなり，デマンドページで登録された３ページの画面に遷移するような画面遷移ボタンが表示されることとなる。
【００２３】
次に動作について説明する。まず最初に図５に示す状態・故障履歴画面への画面遷移ボタンの表示については、図１６のフロー図に示すように図１２の関連データ表において○印の付された関係画面数が複数（２個以上）の場合には、「関係画面表示」の画面遷移ボタンが画面遷移ボタン表示欄２７に表示され、１個のみの場合には該当する「トレンド表示」や「故障波形表示」などの画面遷移ボタンが表示され、関係画面数が０（○印が無い）場合には画面遷移ボタンは表示されない。また、関連データ表に○印が付いていたとしても、該当するデータの保存が無い場合には画面遷移ボタンは表示されないかまたは見え消し状態にしてクリック（押下）できなくする。この図１６に示す動作が全てのイベント名称２４に対応されて行われることにより、図５の画面遷移ボタン表示欄２７への画面遷移ボタンの表示（非表示）が実行される。また、表示された画面遷移ボタンには画面遷移先として図１２のグループ番号またはページ番号の画面がリンクされる。このようにして生成された図５の状態・故障履歴画面において、画面遷移ボタンがクリック（押下）されると図１７のフロー図に示すように、クリック（押下）された画面遷移ボタンに登録された該当画面に画面遷移する。
【００２４】
次に具体的な画面遷移例について説明する。ここでは発明の内容をより分かり易くするために従来のものと比較して説明する。図１３は従来の画面遷移例である。図１３において、通常監視画面４０としてユーザ（利用者）が例えば電力系統図を監視ＰＣ３の表示部２２に表示させているとき、受配電設備に故障や警報などのイベントが発生するとイベント発生時に表示される画面４１として図４に示す状態・故障履歴画面が表示される。ユーザは発生したイベントに関するより詳しい情報を得るため一旦メニュー画面４２を表示させて、メニュー画面から表示させたい画面、すなわち図８で説明した電力デマンド監視画面４３や図１１で説明したトレンド表示画面４４および図１０で説明した故障波形画面４５などを選択して表示させる。ここで例えば故障波形画面４５を表示させたとしても、該当のイベント発生時の故障波形画面４５になっていなければ、複数ある故障波形画面４５の中から該当するものを探して選択し表示させる必要があり、場合によっては監視ＰＣ３が該当する故障波形画面４５に関する故障波形データを保存していない場合もあった。
【００２５】
本発明の画面遷移例は図１４に示すように、通常監視画面４０からイベント発生画面４６として図５に示す状態・故障履歴画面が表示され、状態・故障履歴画面の画面遷移ボタン表示欄２７に表示された画面遷移ボタンをクリック（押下）することで、関係画面が１個の場合には見たい関連情報画面である図８で説明した電力デマンド監視画面４３や図１１で説明したトレンド表示画面４４および図１０で説明した故障波形画面４５などを直ぐに表示できる。また、関係画面が複数ある場合には図１５に示すようにイベント発生画面４６としての図５に示す状態・故障履歴画面の「関係画面表示」の画面遷移ボタンをクリック（押下）することで、関係画面縮小表示４７として図７で説明の画面が表示され、その表示された縮小画面をクリック（選択または押下）することで、見たい画面である図１１で説明したトレンド表示画面４４や図１０で説明した故障波形画面４５などに画面遷移して表示される。
【００２６】
以上説明したように、この発明の実施の形態１においてはイベント発生時に表示される状態・故障履歴画面に異常信号に対応した画面遷移ボタンを設けるとともに、該画面遷移ボタンと関連情報画面を結びつける画面遷移データを備えているため、以下に示すような種々の効果が得られる。
・状態・故障履歴画面表示から電気事故の当該故障波形を迅速かつ容易に表示できるため、ユーザ（利用者）は故障波形画面から電気事故の原因を推定・検討し、早期事故復旧が可能となる。
・監視ＰＣは全ての故障波形データを記録保存しているとは限らないが、故障波形データの記録が無い故障は画面遷移ボタンが表示されないかまたは見え消し状態となってクリック（押下）できないため、ユーザ（利用者）の誤操作はなくなる。
・状態・故障履歴画面表示ではデマンド警報が表示されていても、デマンド監視時間や使用電力は分からないが、画面遷移ボタンにより迅速かつ容易に当該のデマンド監視画面が表示されるため、使用電力を抑制することが可能となる。
【００２７】
・状態・故障履歴画面表示におけるアナログ上限警報やアナログ下限警報から画面遷移ボタンをクリック（押下）することで、当該のアナログ計測値のトレンド画面が容易に表示可能となり、トレンド画面を見て警報が発生したアナログ計測点の過去の情報を把握することができ、原因の推定や検討を行うことにより警報発令の原因となった故障の復旧を早期に行うことが可能となる。
・関係画面として図９に示すようなシステム構成画面を保有していれば、状態・故障履歴画面の画面遷移ボタンをクリック（押下）してシステム構成画面を表示させ、システム異常（障害）がシステム構成上のどの設備機器で発生しているか容易に確認可能となる。
【００２８】
実施の形態２．
図６はこの発明の実施の形態２における受配電監視システムの画面遷移ボタンが表示された状態・故障履歴画面を説明する説明図である。上記実施の形態１では図５に示すように状態・故障履歴画面に画面遷移ボタン表示欄２７を設ける場合について説明したが、図６に示すようにイベント名称欄を画面遷移ボタン表示欄２８としてもよい。具体的には関連情報画面が有る場合にはイベント名称欄を二重枠（立体）表示の画面遷移ボタンとし、マウスのカーソル２９がこのセル（枠）内に入ると画面遷移先として関連付けされているトレンド表示が吹き出し表示３０され、その状態でマウスの左ボタンをクリック（押下）するとトレンド表示画面に画面遷移する。このように画面遷移ボタンを構成することで、上記実施の形態１の効果に加え、状態・故障履歴画面に必要であった画面遷移ボタン表示欄２７のスペースを無くすことが可能となり、状態・故障履歴画面の文字サイズを小さくしたり、情報量を減らすことなく画面遷移ボタンを設けることが可能となる。
【００２９】
実施の形態３．
図１８はこの発明の実施の形態３における受配電監視システムの監視ＰＣ内のデータ構成を説明する説明図、図１９はこの発明の実施の形態３における受配電監視システムの画面遷移ボタンの表示動作を説明するフロー図、図２０はこの発明の実施の形態３における受配電監視システムの故障表示がある場合のトレンド画面を説明する説明図、図２１はこの発明の実施の形態３における受配電監視システムの故障表示がない場合のトレンド画面を説明する説明図である。上記実施の形態１では状態・故障履歴画面からトレンド画面や故障波形画面へ画面遷移する場合について説明したが、トレンド画面に画面遷移ボタンを設けてトレンド画面から故障波形画面へ画面遷移するようにしたものが実施の形態３である。図１８において実施の形態１では監視ＰＣ３は保有している状態・故障履歴データ４８に関連するデータ（情報）として、トレンドデータ４９や故障波形データ５０があるか確認して画面遷移ボタンを表示していたが、実施の形態３では画面表示されているトレンドデータ４９に関連する故障波形データ５０があるかどうかをチェックし、関連する故障波形データ５０がある場合には、状態・故障履歴画面に戻ることなく、表示されているトレンド画面から直接故障波形画面に遷移できる方が便利である。
【００３０】
この場合の動作説明を図１９のフロー図にもとづき説明する。表示中のトレンド画面に故障表示の設定があるか確認し、図２０に示すように故障表示の設定枠５１にチェックマークが入っていれば、表示中のトレンドデータに関連する故障があるかどうかをチェックし、図２１に示すように故障表示の設定枠５１にチェックマークが入っていなければ何もしない。チェックマークが入っていれば関連する故障波形データ５０が有るか確認し、故障波形データ５０があれば図２０に示すようにイベント名称５２と「故障波形表示」と表記された画面遷移ボタン５３を吹き出し表示する。故障波形データ５０が無ければイベント名称５２のみを表示する。このようにして表示された画面遷移ボタン５３をクリック（押下）することにより、例えば図１０に示す故障波形画面に画面遷移する。このようにトレンド画面から故障（事故）の原因究明・調査が行える故障波形画面に容易に画面遷移可能となり、ユーザ（利用者）は事故・故障発生時に素早く事象を解析することが可能となる。また、故障波形データが記録（保存）されていない故障イベントに関しては故障波形表示への画面遷移ボタン５３を表示させないことによりユーザの誤操作を防止できる。なお、この吹き出し表示は常時は表示せずに、該当位置付近にマウスによるカーソルが来た場合にのみ表示するようにしてもよい。
【００３１】
実施の形態４．
図２２はこの発明の実施の形態４における受配電監視システムの画面遷移を説明する説明図である。上記実施の形態１ではイベント発生時に表示される画面が状態・故障履歴画面の場合について説明したが、イベント発生時に表示される画面として図２２に示すように元の通常監視画面４０上にイベント名称と画面遷移ボタンを表示したポップアップ表示５４としてもよい。この場合にも画面遷移ボタンがクリック（押下）されると該当する状態・故障履歴画面４６やトレンド表示画面４４および故障波形画面４５に画面遷移する。
【００３２】
実施の形態５．
図２３はこの発明の実施の形態５における受配電監視システムの画面遷移を説明する説明図である。上記実施の形態１ではイベント発生時に表示される画面が状態・故障履歴画面の場合について説明したが、イベント発生時に表示される画面として図２３に示すように画面を分割して関係画面を縮小表示した画面５５としてもよい。この場合にも縮小画面がクリック（選択）されると該当する状態・故障履歴画面４６やトレンド表示画面４４および故障波形画面４５などに画面遷移する。
【００３３】
実施の形態６．
図２４はこの発明の実施の形態６における受配電監視システムの携帯端末における画面例を説明する説明図、図２５はこの発明の実施の形態６における受配電監視システムの保守会社へ電話のボタンが押された場合の動作を説明するフロー図である。上記実施の形態１から５では監視ＰＣ３におけるイベント発生時の画面表示について説明したが、実施の形態６では携帯端末１２におけるイベント発生時の画面表示について説明する。監視ＰＣ３は受配電設備に発生するイベントを監視しており、イベントが発生した場合は必要に応じてＬＡＮおよび無線ＬＡＮを介して携帯端末１２へイベント情報を転送する。イベント情報を受けた携帯端末１２はアラーム音または振動でユーザ（利用者）にイベントの発生を告知するとともに、図２４に示すイベント発生時の画面を表示する。携帯端末１２に表示されるイベント発生時の画面は図２４に示すように、イベント名称と以下に説明する画面遷移等のボタンが表示されている。具体的にはイベント画面表示、電力系統図表示、トレンド表示および故障波形表示などの画面遷移ボタンと他の登録ユーザへ電話するボタンおよび受配電設備を保守している会社へ電話するボタンなどである。
【００３４】
画面遷移ボタンがクリック（選択）された場合の動作については、監視ＰＣ３からクリック（選択）された画面遷移ボタンに該当する画面の情報が送付されてきて画面遷移するが、画面遷移等は上記説明した監視ＰＣ３の場合と同様であるため説明を省略し、保守会社へ電話のボタンがクリック（選択）された場合について図２５のフロー図にもとづき説明する。保守会社へ電話のボタンをクリック（選択）すると、携帯端末１２は保有しているＧＰＳ機能を使用して現在の所在地を確認する。次に現在の時刻を確認する。一般に保守会社は昼間と夜間の連絡先が異なっており、現在の時刻が昼間であれば昼間登録電話番号の内で保守会社の現在地から一番近い保守拠点へ電話する。また現在の時刻が夜間であれば夜間登録電話番号の内で保守会社の現在地から一番近い保守拠点へ電話する。このようにユーザ（利用者）は受配電設備の事故や故障などのイベント発生時に、現在位置や時間帯を気にすることなく保守会社へ連絡することができ、受配電設備の事故や故障を迅速に復旧させることができる。
【００３５】
なお、この発明は、その発明の範囲内において、各実施の形態を自由に組み合わせたり、各実施の形態を適宜、変形、省略することが可能である。
【符号の説明】
【００３６】
１  マルチリレー、２  ＰＬＣ、３  監視ＰＣ、４  計測値、５  故障波形値、６  故障情報、７  状態情報、８  トレンドデータ、９  デマンド監視データ、１０  故障波形データ、１１  状態・故障履歴データ、１２  携帯端末、２７  画面遷移ボタン表示欄。
【図１７】
2014170435.tif 000003
【図２２】
2014170435.tif 000004
【図２３】
2014170435.tif 000005
【図２４】
2014170435.tif 000006
【図１】
2014170435.tif 000007
【図２】
2014170435.tif 000008
【図３】
2014170435.tif 000009
【図４】
2014170435.tif 000010
【図５】
2014170435.tif 000011
【図６】
2014170435.tif 000012
【図７】
2014170435.tif 000013
【図８】
2014170435.tif 000014
【図９】
2014170435.tif 000015
【図１０】
2014170435.tif 000016
【図１１】
2014170435.tif 000017
【図１２】
2014170435.tif 000018
【図１３】
2014170435.tif 000019
【図１４】
2014170435.tif 000020
【図１５】
2014170435.tif 000021
【図１６】
2014170435.tif 000022
【図１８】
2014170435.tif 000023
【図１９】
2014170435.tif 000024
【図２０】
2014170435.tif 000025
【図２１】
2014170435.tif 000026
【図２５】
2014170435.tif 000027